(57)【要約】【課題】多種の投票用紙から特定の投票用紙を判定できる投票用紙の分類装置を提供することを目的とする。【解決手段】  投票用紙に文字及び印章の記載のない位置での受光量の撮像データと文字が記載されている位置の受光量の撮像データ及び印章が記載されている位置との受光量の撮像データから、Ｓｅ１，Ｓｅ２，Ｓｅ３が生成される（Ｓ２０２）。評価色情報Ｓｅが生成されると、記憶部２３に記憶された基準色情報Ｓｒ１，Ｓｒ２，Ｓｒ３と評価色情報Ｓｅ１，Ｓｅ２，Ｓｅ３との比較が判定部２４によって行われる（Ｓ２０３）。判定部２４は、表１に示されるように、基準色情報Ｓｒ１、Ｓｒ２，Ｓｒ３と評価色情報Ｓｅ１，Ｓｅ２，Ｓｅ３とを各色の受光量や各受光量の比率等に基づいて比較し、特定の投票用紙の色と判定対象となる投票用紙の色とが一致しているかどうかを判定する。【選択図】図５
2016164743.tif 000002
【特許請求の範囲】
【請求項１】
投票用紙を記入内容に基づいて分類する投票用紙の分類装置において、
互いに異なる色の光を投票用紙に照射する複数の発光手段と、
前記複数の発光手段が照射する各色の光に対する前記投票用紙からの反射光と、前記複数の発光手段が照射する各色の光に対する前記投票用紙に予め記載された文字からの反射光と、前記複数の発光手段が照射する各色の光に対する前記投票用紙に予め記載された印章からの反射光とのうち少なくとも二つの反射光を受光して、少なくとも二つの各色の反射光の受光量を検知する受光手段と、
前記受光手段が検知した前記少なくとも二つの各色の反射光の受光量に基づいて、前記投票用紙と前記文字と前記印章とのうち少なくとも二つの色情報を生成する色情報生成部と、
予め与えられた特定の投票用紙における少なくとも二つの前記色情報である基準色情報と、判定対象となる投票用紙における少なくとも二つの前記色情報である評価色情報とを比較して、前記特定の投票用紙における前記投票用紙と前記文字と前記印章とのうち少なくとも二つの色と、前記判定対象となる投票用紙における前記投票用紙と前記文字と前記印章とのうち少なくとも二つの色とが一致するかどうかを判定する判定手段と
を備えることを特徴とする投票用紙の分類装置。
【発明の詳細な説明】
【技術分野】
【０００１】
この発明は投票用紙の分類装置に関する。
【背景技術】
【０００２】
特許文献１には、選挙の開票時に投票用紙を自動的に分類するための分類装置が記載されている。この分類装置は、発光手段により光を投票用紙に照射し、投票用紙からの反射光の受光量を受光手段で検知して、その受光量に基づいて色情報生成部により特定の投票用紙の色と判定対象となる投票用紙の色とが一致するかどうかを比較して、判定手段により投票用紙が特定の投票用紙であるか特定の投票用紙以外の投票用紙であるかを判定する。そして分類装置は、特定の投票用紙を投票者による投票用紙の記入内容に応じてスタッカに格納し、特定の投票用紙以外の投票用紙をリジェクトする。
【先行技術文献】
【特許文献】
【０００３】
【特許文献１】特開２０１２−４３３６７号公報
【発明の概要】
【発明が解決しようとする課題】
【０００４】
特定の投票用紙と特定の投票用紙以外の投票用紙を着色する場合に、使用できる色の種類には限りがある。そのため、特許文献１に記載の分類装置では、より多種の種類の投票用紙を同時に使用したい場合に、投票用紙の種類の数が投票用紙に使用できる色の数によって限られてしまうという問題点がある。
【０００５】
この発明は、このような問題点を解決するためになされたもので、多種の投票用紙から特定の投票用紙を判定できる投票用紙の分類装置を提供することを目的とする。
【課題を解決するための手段】
【０００６】
この発明に係る投票用紙の分類装置は、投票用紙を記入内容に基づいて分類する投票用紙の分類装置において、互いに異なる色の光を投票用紙に照射する複数の発光手段と、複数の発光手段が照射する各色の光に対する投票用紙からの反射光と、複数の発光手段が照射する各色の光に対する投票用紙に予め記載された文字からの反射光と、複数の発光手段が照射する各色の光に対する投票用紙に予め記載された印章からの反射光とのうち少なくとも二つの反射光を受光して、少なくとも二つの各色の反射光の受光量を検知する受光手段と、受光手段が検知した少なくとも二つの各色の反射光の受光量に基づいて、投票用紙と文字と印章とのうち少なくとも二つの色情報を生成する色情報生成部と、予め与えられた特定の投票用紙における少なくとも二つの色情報である基準色情報と、判定対象となる投票用紙における少なくとも二つの色情報である評価色情報とを比較して、特定の投票用紙における投票用紙と文字と印章とのうち少なくとも二つの色と、判定対象となる投票用紙における投票用紙と文字と印章とのうち少なくとも二つの色とが一致するかどうかを判定する判定手段とを備える。
【発明の効果】
【０００７】
この発明によれば、予め与えられた特定の投票用紙における少なくとも二つの色情報である基準色情報と、判定対象となる投票用紙における少なくとも二つの色情報である評価色情報とを比較して、特定の投票用紙における投票用紙と文字と印章とのうち少なくとも二つの色と、判定対象となる投票用紙における投票用紙と文字と印章とのうち少なくとも二つの色とが一致するかどうかを判定するため、多種の投票用紙から特定の投票用紙を判定できる。
【図面の簡単な説明】
【０００８】
【図１】この発明の実施の形態１に係る投票用紙の分類装置の構成を概略的に示す断面側面図である。
【図２】実施の形態１に係る投票用紙の分類装置における発光手段及び受光手段の周辺の構成を示す概略図である。
【図３】実施の形態１に係る投票用紙の分類装置における検出手段の構成を示す概略図である。
【図４】実施の形態１に係る投票用紙の分類装置における学習モードの処理を説明するためのフローチャートである。
【図５】実施の形態１に係る投票用紙の分類装置における検出モードの処理を説明するためのフローチャートである。
【発明を実施するための形態】
【０００９】
以下に、この発明の実施の形態について添付図に基づいて説明する。
実施の形態１．
図１に、この実施の形態１に係る投票用紙の分類装置１（以下、「分類装置１」と略称する）を示す。分類装置１は、選挙の投票用紙を候補者名や政党名等の記入内容に応じて分類する装置であって、分類の対象となる複数の投票用紙２が載置されるホッパ３と、分類された投票用紙２が収容される複数のスタッカ４とを備えている。投票用紙２には、候補者名や政党名等を投票者が記載するための欄のほかに、記載事項として選挙の名称等の文字（以下「文字」と略称する）や選挙管理委員会印等の印章（以下「印章」と略称する）が予め印刷や捺印等によって記載されている。ホッパ３と各スタッカ４とは、複数のローラ５ａから構成される搬送路５を介して接続されており、各ローラ５ａが回転すると、投票用紙２が矢印Ａ１〜Ａ４で示される方向に順次搬送されるようになっている。また、分類装置１は、投票用紙２の分類結果等を表示するモニタ６を備えている。
【００１０】
搬送路５の途中には、投票用紙２の記入内容を認識するとともに、投票用紙２の色を検知するためのイメージセンサ１１が配置されている。図２に示すように、イメージセンサ１１は本体部１２を備えており、本体部１２の内部には、発光手段としての３つのＬＥＤ１３ａ〜１３ｃが設けられている。ＬＥＤ１３ａ〜１３ｃは互いに異なる色の光、具体的にはＬＥＤ１３ａが赤色の光、ＬＥＤ１３ｂが緑色の光、ＬＥＤ１３ｃが青色の光を発するようになっている。尚、本体部１２は、搬送路５に沿って搬送される投票用紙２に向かって開放された空間である収容部１２ａを有しており、ＬＥＤ１３ａ〜１３ｃは、収容部１２ａ内に設けられた導光板１４に支持されている。導光板１４は透明な材料から形成された部材であって、ＬＥＤ１３ａ〜１３ｃが発する光は、矢印Ｂ１で示すように導光板１４を通って投票用紙２に照射されるようになっている。
【００１１】
また、本体部１２は、投票用紙２に向かって開放された空間である収容部１２ｂを有しており、収容部１２ｂの内部にも透明な材料からなる導光板１５が設けられている。収容部１２ｂの奥側に位置する導光板１５の端部には、受光手段としてのセンサ１６が設けられている。ＬＥＤ１３ａ〜１３ｃが照射した光は、矢印Ｂ２で示すように投票用紙２で反射され、その反射光は、導光板１５を通ってセンサ１６に到達するようになっている。センサ１６は、投票用紙２からの反射光を受光して受光量を検知するとともに、検知した受光量により投票用紙２を撮像して撮像データを以下に説明する演算ユニット２１に出力する。尚、各ＬＥＤ１３ａ〜１３ｃは制御部１７に電気的に接続されており、制御部１７によって光の照射の開始及び停止を制御されるようになっている。
【００１２】
図３に概略的に示すように、イメージセンサ１１のセンサ１６には、異なる色に着色された投票用紙の混入を検出するための演算ユニット２１が接続されている。演算ユニット２１は、色情報生成部２２、記憶部２３及び判定部２４から構成されている。色情報生成部２２には、センサ１６が接続されており、センサ１６によって検知された受光量、すなわち、各ＬＥＤ１３ａ〜１３ｃが照射した３色の光である赤色、緑色及び青色の光に対する投票用紙２からの反射光の受光量が入力されるようになっている。色情報生成部２２は、これらの各色の受光量を色情報として生成するものである。
【００１３】
記憶部２３は、特定の投票用紙と特定の投票用紙における文字及び印章とにおける色情報を、基準色情報Ｓｒとして記憶するものである。また、判定部２４は、基準色情報Ｓｒと、判定対象となる投票用紙の色情報として色生成部によって生成される評価色情報Ｓｅとを比較して、赤色、緑色及び青色の各受光量や各受光量の比率等に基づいて、特定の投票用紙と特定の投票用紙における文字及び印章との色と、判定対象となる投票用紙と投票用紙における文字及び印章との色とが一致しているかどうかを判定するものである。
【００１４】
次に、この実施の形態１に係る分類装置１を用いて、異なる色に着色された投票用紙の混入を検出する方法について説明する。
分類装置１は、特定の投票用紙における基準色情報Ｓｒを生成して記憶する学習モードと、判定対象となる投票用紙の評価色情報Ｓｅを生成するとともに、基準色情報Ｓｒと評価色情報Ｓｅとの比較を行う判定モードとの二種類の動作モードで動作するようになっており、これらの動作モードを順次行うことによって、異なる色に着色された投票用紙の混入が検出される。
【００１５】
まず、学習モードを開始するため分類装置１の操作者は、特定の投票用紙２の記載面が搬送路５内でイメージセンサ１１に対向する向きとなるように投票用紙２をホッパ３（図１参照）上に載置する。次いで、図示しない操作スイッチを操作者が操作することにより、学習モードが開始される。学習モードが開始されると、搬送路５を構成する各ローラ５ａが回転を開始し、ホッパ３上に載置された特定の投票用紙２が搬送路５によってイメージセンサ１１に供給される。特定の投票用紙２がイメージセンサ１１に供給されると、図４に示されるフローチャートに沿った処理が行われる。
【００１６】
まず、制御部１７（図２参照）から出力される指令信号に基づいて、イメージセンサ１１の各ＬＥＤ１３ａ〜１３ｃによる各色の光の照射の開始及び照射の停止が順次行われる。センサ１６は、各ＬＥＤ１３ａ〜１３ｃが順次照射する各色の光に対する投票用紙からの反射光を受光して、その受光量をそれぞれ検知することで各色の光毎に投票用紙を撮像する（Ｓ１０１）。
【００１７】
次いでセンサ１６によって撮像された、各色の光に対する受光量の撮像データが色情報生成部２２に送られる。色情報生成部２２は、特定の投票用紙における文字及び印章の投票用紙上の位置の情報を予め保持している。受光量の撮像データと、色情報生成部２２に保持されている文字及び印章の位置の情報とを色情報生成部２２が比較することで、投票用紙の天地の向きが判定される。投票用紙の天地の向きが判定された後、色情報生成部２２により投票用紙上の文字及び印章の位置の情報を基にして、投票用紙の記載のない位置つまり投票用紙そのものの受光量の撮像データ及び文字が記載されている位置の受光量並びに印章が記載されている位置の受光量の撮像データから、投票用紙自体及び文字並びに印章の基準色情報Ｓｒ１，Ｓｒ２，Ｓｒ３が生成される（Ｓ１０２）。基準色情報Ｓｒ１，Ｓｒ２，Ｓｒ３は、ＬＥＤ１３ａが照射した赤色の光の受光量Ｆ１１、ＬＥＤ１３ｂが照射した緑色の光の受光量Ｆ１２、及びＬＥＤ１３ｃが照射した青色の光の受光量Ｆ１３の相対強度として生成されている。このように生成された基準色情報Ｓｒ１，Ｓｒ２，Ｓｒ３は記憶部２３に記憶され（Ｓ１０３）、学習モードが終了する。
【００１８】
以上のように学習モードが終了すると、判定モードが開始される。分類装置１の操作者は、判定モードを開始するため、判定対象となる複数の投票用紙２、すなわち投票者による記入が行われた複数の投票用紙２を、搬送路５内で記載面がイメージセンサ１１に対向する向きになるようにホッパ３（図１参照）上に載置するとともに、図示しない操作スイッチを操作することによって判定モードを開始させる。判定モードが開始されると、各ローラ５ａが回転を開始し、それにより、ホッパ３上に載置された複数の投票用紙２が、搬送路５を介して一枚ずつイメージセンサ１１に搬送される。次いで、図５に示されるフローチャートに沿った処理が行われる。
【００１９】
まず、学習モードと同様に、制御部１７（図２参照）から出力される指令信号に基づいて、イメージセンサ１１の各ＬＥＤ１３ａ〜１３ｃによる各色の光の照射の開始及び照射の停止が順次行われる。センサ１６は、各ＬＥＤ１３ａ〜１３ｃが順次照射する各色の光に対する投票用紙２からの反射光を受光して、その受光量をそれぞれ検知することで各色の光毎に投票用紙を撮像する（Ｓ２０１）。次いで、センサ１６によって検知された各色の受光量の撮像データが色情報生成部２２に送られる。受光量の撮像データにおける文字及び印章の位置の情報と、色情報生成部２２に保持されている文字及び印章の位置の情報とを色情報生成部２２が比較することで、投票用紙の天地の向きが判定される。投票用紙の天地の向きが判定された後、色情報生成部２２により特定の投票用紙上の文字及び印章の位置の情報を基にして、投票用紙に文字及び印章の記載のない位置での受光量の撮像データと文字が記載されている位置の受光量の撮像データ及び印章が記載されている位置との受光量の撮像データから、投票用紙自体と文字及び印章との評価色情報Ｓｅ１，Ｓｅ２，Ｓｅ３が生成される（Ｓ２０２）。評価色情報Ｓｅは、基準色情報Ｓｒ１、Ｓｒ２，Ｓｒ３と同様に、ＬＥＤ１３ａが照射した赤色の光の受光量Ｆ２１、ＬＥＤ１３ｂが照射した緑色の光の受光量Ｆ２２、及びＬＥＤ１３ｃが照射した青色の光の受光量Ｆ２３の相対強度として生成されている。
【００２０】
以上のように評価色情報Ｓｅが生成されると、記憶部２３に記憶された基準色情報Ｓｒ１，Ｓｒ２，Ｓｒ３と評価色情報Ｓｅ１，Ｓｅ２，Ｓｅ３との比較が判定部２４によって行われる（Ｓ２０３）。判定部２４は、表１に示されるように、基準色情報Ｓｒ１、Ｓｒ２，Ｓｒ３と評価色情報Ｓｅ１，Ｓｅ２，Ｓｅ３とを各色の受光量や各受光量の比率等に基づいて比較し、特定の投票用紙の色と判定対象となる投票用紙の色とが一致しているかどうかを判定する。ここで、基準色情報Ｓｒ１及び評価色情報Ｓｅ１の例を表１に示す。
【００２１】
【表１】
2016164743.tif 000003
【００２２】
表１に示されるように、基準色情報Ｓｒ１の各受光量Ｆ１１、Ｆ１２、Ｆ１３がそれぞれ５、４、８という相対強度を有し、評価色情報Ｓｅ１１のＦ２１、Ｆ２２、Ｆ２３がそれぞれ６、４．５、９という相対強度を有している場合、評価色情報Ｓｅ１１における各色の受光量や各受光量の比率は、基準色情報Ｓｒ１を基準にして設定される閾値内に含まれている。したがって、この場合、判定部２４は、特定の投票用紙の色と判定対象となる投票用紙の色とが一致すると判定する（Ｓ２０４）。
【００２３】
一方、評価色情報Ｓｅ１２のＦ２１、Ｆ２２、Ｆ２３がそれぞれ３、６、４という相対強度を有している場合、基準色情報Ｓｒ１における各受光量の比率と、評価色情報Ｓｅ１１における各受光量の比率とが所定の閾値の範囲を超えるため、判定部２４は、特定の投票用紙の色と判定対象となる投票用紙の色とが一致しないと判定し、この投票用紙２がリジェクトされ、この投票用紙２の判定処理が終了する。また、評価色情報Ｓｅ１３のＦ２１、Ｆ２２、Ｆ２３がそれぞれ９、４、８という相対強度を有している場合、赤色の受光量に基づくＦ２１の値９は、基準色情報ＳｒにおけるＦ１1の閾値を超えて高くなっているため、判定部２４は、特定の投票用紙の色と判定対象となる投票用紙の色とが一致しないと判定する（Ｓ２０５）。この場合は投票用紙２がリジェクトされ、この投票用紙２の判定処理が終了する。
【００２４】
Ｓ２０４の後、また同様にして基準色情報Ｓｒ２及び評価色情報Ｓｅ２の各受光量の相対強度を比較する（Ｓ２０６）。評価色情報Ｓｅ２における各色の受光量や各受光量の比率が、基準色情報Ｓｒ１を基準にして設定される閾値内に含まれている場合は、判定部２４は特定の投票用紙の文字の色と判定対象となる投票用紙の文字の色とが一致すると判定する（Ｓ２０７）。一方、基準色情報Ｓｒ２における各受光量の比率と、評価色情報Ｓｅ１１における各受光量の比率とが所定の閾値の範囲を超えるため、判定部２４は特定の投票用紙の文字の色と判定対象になる投票用紙の文字の色とが一致しないと判定する（Ｓ２０８）。この場合は投票用紙２がリジェクトされ、この投票用紙２の判定処理が終了する。
【００２５】
Ｓ２０７の後、さらに同様にして基準色情報Ｓｒ３及び評価色情報Ｓｅ３の各受光量の相対強度を比較する（Ｓ２０９）。評価色情報Ｓｅ３における各色の受光量や各受光量の比率が、基準色情報Ｓｒ３を基準にして設定される閾値内に含まれている場合は、判定部２４は特定の投票用紙の印章の色と判定対象となる投票用紙の文字の色とが一致すると判定する（Ｓ２１０）。一方、基準色情報Ｓｒ３における各受光量の比率と、評価色情報Ｓｅ１１における各受光量の比率とが所定の閾値の範囲を超えるため、判定部２４は特定の投票用紙の文字の色と判定対象になる投票用紙の印章の色とが一致しないと判定する（Ｓ２１１）。この場合は投票用紙２がリジェクトされ、この投票用紙２の判定処理が終了する。
【００２６】
Ｓ２１０にて、評価対象の投票用紙の色と投票用紙の文字の色と投票用紙の印章の色とが全て特定の投票用紙の投票用紙の色と投票用紙の文字の色と投票用紙の印章の色とが一致していると判定されているため、記入内容に応じたスタッカ４（図１参照）に搬送される。
【００２７】
以上のように、予め与えられた特定の投票用紙における少なくとも二つの色情報である基準色情報と、判定対象となる投票用紙における少なくとも二つの色情報である評価色情報とを比較して、特定の投票用紙における投票用紙と文字と印章とのうち少なくとも二つの色と、判定対象となる投票用紙における投票用紙と文字と印章とのうち少なくとも二つの色とが一致するかどうかを判定するため、多種の投票用紙から特定の投票用紙を判定できる。
【００２８】
なお、実施の形態１では評価対象の投票用紙の色と投票用紙の文字の色と投票用紙の印章の色とが、特定の投票用紙の投票用紙の色と投票用紙の文字の色と投票用紙の印章の色とが一致しているか否かを判定していたが、投票用紙の色及び投票用紙の文字の色だけを判定してもよいし、投票用紙の色及び投票用紙の印章の色だけを判定してもよいし、投票用紙の文字の色及び投票用紙の印章の色とだけを判定してもよい。これにより、投票用紙の投票用紙の色と投票用紙の文字の色と投票用紙の印章の色との全てを判定しなくとも、従来技術の場合よりもさらに多種の投票用紙から特定の種類の投票用紙を判定できる。
【００２９】
また、実施の形態１では搬送路５の途中には、搬送路５の一方の面に対向するように１つのイメージセンサ１１が配置されていたが、搬送路５の他方の面に対向するようにさらにもう１つのイメージセンサ１１が配置されていてもよい。これにより、投票用紙２において投票者が記載するための欄が設けられている面の裏側の面に、文字または印章がさらに記載されていたとしても、裏側の面に記載された文字または印章の色を判定することができる。
【符号の説明】
【００３０】
１  投票用紙の分類装置、２  投票用紙、１３ａ，１３ｂ，１３ｃ  ＬＥＤ（発光手段）、１６  センサ（受光手段）、２２  色情報生成部（色情報生成手段）、２４  判定部（判定手段）、Ｓｒ１，Ｓｒ２，Ｓｒ３  基準色情報、Ｓｅ１，Ｓｅ２，Ｓｅ３  評価色情報。
【図１】
2016164743.tif 000004
【図２】
2016164743.tif 000005
【図３】
2016164743.tif 000006
【図４】
2016164743.tif 000007
【図５】
2016164743.tif 000008